(57)【要約】【課題】低コストで実現可能な装置により、潜水中のダイバーが、簡単な操作によって帰路の方向を確実に確認できるようにする。【解決手段】防水性を有するケース２１に収容され、各種情報を表示する液晶表示パネル２１１を備えた表示部と、ケース２１の外部から操作可能なスイッチ２３と、を備えたダイブコンピュータ２により、進路の方位を検出し、スイッチ２３により方位設定を指示する操作に応じて、検出した方位を往路の方位として設定し、この往路の方位に基づいて帰路の方位を求め、求めた帰路の方位を液晶表示パネル２１１に表示する。【選択図】図１
2009210561.tif 000002
【特許請求の範囲】
【請求項１】
防水性を有する本体に収容され、各種情報を表示する表示画面と、
前記本体の外部から操作可能な操作部と、
進路の方位を検出する方位検出部と、
前記操作部による方位設定を指示する操作に応じて、前記方位検出部により検出された方位を取得し、取得した方位を往路の方位として設定し、この往路の方位に基づいて帰路の方位を求める方位処理部と、
前記方位処理部により求められた帰路の方位を前記表示画面に表示させる方位表示制御部と、
を備えることを特徴とする情報表示装置。
【請求項２】
前記方位表示制御部は、前記操作部により帰路の方向の表示を指示する操作が行われた場合に、この操作に応じて前記表示画面に帰路の方位を表示させること、
を特徴とする請求項１記載の情報表示装置。
【請求項３】
前記方位表示制御部は、前記表示画面に、帰路の方位と、その方位が帰路の方位であることを示す記号または図形とを表示させること、
を特徴とする請求項１または２記載の情報表示装置。
【請求項４】
前記方位表示制御部は、前記操作部において帰路の方向の表示を指示する操作が行われている間のみ、帰路の方位を指し示す記号または図形を前記表示画面に表示させること、
を特徴とする請求項１記載の情報表示装置。
【請求項５】
前記方位表示制御部は、前記方位検出部により検出された方位を随時取得し、取得した現在の方位を前記表示画面に表示させること、
を特徴とする請求項１から４のいずれかに記載の情報表示装置。
【請求項６】
前記方位表示制御部は、前記方位検出部から取得した方位が、前記表示画面に表示中の方位から所定以上の差がある場合にのみ、前記表示画面に表示する方位を新たに取得した方位に変更すること、
を特徴とする請求項５記載の情報表示装置。
【請求項７】
前記本体が水中にあるか否かを判定する水中判定部をさらに備え、
前記方位表示制御部は、前記水中判定部によって前記本体が水中にあると判定された場合にのみ、前記方位処理部により求められた帰路の方位を前記表示画面に表示させること、
を特徴とする請求項１から６のいずれかに記載の情報表示装置。
【請求項８】
前記帰路は少なくとも１つの経由点を経由する帰路であり、
前記方位処理部は、前記帰路における前記経由点への方位も求め、
前記方位表示制御部は、前記方位処理部により求められた前記帰路における前記経由点への方位を前記表示画面に表示させる、
ことを特徴とする請求項１から７のいずれかに記載の情報表示装置。
【請求項９】
防水性を有する本体に収容され、各種情報を表示する表示画面と、前記本体の外部から操作可能な操作部と、を備えた情報表示装置を制御して、
進路の方位を検出し、
前記操作部による方位設定を指示する操作に応じて、検出した方位を往路の方位として設定し、この往路の方位に基づいて帰路の方位を求め、
求めた帰路の方位を前記表示画面に表示させること、
を特徴とする情報表示方法。
【発明の詳細な説明】
【技術分野】
【０００１】
本発明は、ダイビング中に情報を表示する情報表示装置、及び、情報表示方法に関する。
【背景技術】
【０００２】
ダイビング中に現在位置や進行方向を把握する手法としては、主に、周囲の海中地形や景色をもとに把握することが一般的である。しかしながら、視界不良の場合や不慣れな場所に潜る際には景色のみを頼りに位置や方向を正確に把握することは難しい。このような場合、従来は、例えば水中用のコンパスを用いて進んでいる方角を把握していた（例えば、特許文献１参照）。
【特許文献１】特開２００２−１９５８２７号公報
【発明の開示】
【発明が解決しようとする課題】
【０００３】
ところで、目的とする場所に到達した後の帰路の方向は、エントリーしてから目的地まで進んだ方向の逆であるから、往路の方位（方角）を正反対に換算して求めればよい。ところが、水中においては思考能力及び演算能力を妨げる要素が多く、往路の方向を正確に記憶しておき、帰路の方向を正確に導き出すことは、決して容易とはいえず、少なくない負担となっていた。また、多くのダイバーが気軽に使えるようにするためには、大がかりな装置群を用いるような方法は不向きであるという問題がある。  
本発明は、上述した事情に鑑みてなされたものであり、低コストで実現可能な装置により、潜水中のダイバーが、簡単な操作によって帰路の方向を確実に確認できるようにすることを目的とする。
【課題を解決するための手段】
【０００４】
上記目的を達成するために、本発明は、防水性を有する本体に収容され、各種情報を表示する表示画面と、前記本体の外部から操作可能な操作部と、進路の方位を検出する方位検出部と、前記操作部による方位設定を指示する操作に応じて、前記方位検出部により検出された方位を取得し、取得した方位を往路の方位として設定し、この往路の方位に基づいて帰路の方位を求める方位処理部と、前記方位処理部により求められた帰路の方位を前記表示画面に表示させる方位表示制御部と、を備えることを特徴とする情報表示装置を提供する。
【０００５】
上記構成において、前記方位表示制御部は、前記操作部により帰路の方向の表示を指示する操作が行われた場合に、この操作に応じて前記表示画面に帰路の方位を表示させるものとしてもよい。  
また、前記方位表示制御部は、前記表示画面に、帰路の方位と、その方位が帰路の方位であることを示す記号または図形とを表示させるものとしてもよい。  
さらに、前記方位表示制御部は、前記操作部において帰路の方向の表示を指示する操作が行われている間のみ、帰路の方位を指し示す記号または図形を前記表示画面に表示させるものとしてもよい。
【０００６】
上記構成において、前記方位表示制御部は、前記方位検出部により検出された方位を随時取得し、取得した現在の方位を前記表示画面に表示させるものとしてもよい。  
さらに、上記構成において、前記方位表示制御部は、前記方位検出部から取得した方位が、前記表示画面に表示中の方位から所定以上の差がある場合にのみ、前記表示画面に表示する方位を新たに取得した方位に変更するものとしてもよい。  
また、上記構成において、前記本体が水中にあるか否かを判定する水中判定部をさらに備え、前記方位表示制御部は、前記水中判定部によって前記本体が水中にあると判定された場合にのみ、前記方位処理部により求められた帰路の方位を前記表示画面に表示させるものとしてもよい。
【０００７】
また、上記構成において、前記帰路は少なくとも１つの経由点を経由する帰路であり、前記方位処理部は、前記帰路における前記経由点への方位も求め、前記方位表示制御部は、前記方位処理部により求められた前記帰路における前記経由点への方位を前記表示画面に表示させることとしてもよい。
【０００８】
また、本発明は、防水性を有する本体に収容され、各種情報を表示する表示画面と、前記本体の外部から操作可能な操作部と、を備えた情報表示装置を制御して、進路の方位を検出し、前記操作部による方位設定を指示する操作に応じて、検出した方位を往路の方位として設定し、この往路の方位に基づいて帰路の方位を求め、求めた帰路の方位を前記表示画面に表示させること、を特徴とする情報表示方法を提供する。
【発明の効果】
【０００９】
本発明によれば、方位設定を指示する操作に応じて、現在の方位を往路とした場合の帰路の方位が自動的に求められて表示されるので、大がかりな装置群等を用いることなく、潜水中のダイバーが簡単な操作を行うだけで、帰路の方向を確実に確認できる。
【発明を実施するための最良の形態】
【００１０】
以下、図面を参照して本発明の実施形態について説明する。
【００１１】
［第１の実施形態］
図１は、第１の実施形態に係るダイブコンピュータ２の構成及び使用状態を示す図である。図２は、ダイブコンピュータ２の機能的構成を示すブロック図である。  
ダイブコンピュータ２の機能としては、潜水中のダイバー（ユーザ）の深度や潜水時間を計算して表示するとともに、潜水中に体内に蓄積される不活性ガス量（主として窒素ガス量）を計測し、この計測結果から潜水後に水からあがった状態で体内に蓄積された窒素が排出されるまでの時間などの安全確保情報を表示する機能等がある。
【００１２】
ダイブコンピュータ２は、円盤状のケース２１（本体）に各部を収容して構成されるダイブコンピュータ本体２０に、ベルト２７を取り付けて構成され、このベルト２７によりダイバーの腕に装着される。  
ケース２１は、いわゆる防水構造となっており、完全水密状態となるよう封止される。
【００１３】
ダイブコンピュータ本体２０の上面には表示面２２が設けられており、この表示面２２に、後述する液晶表示パネル２１１（表示画面）によって各種の情報が表示される。また、ダイブコンピュータ本体２０の上面には、表示面２２とともに、それぞれ水中判定センサ２７３（図２）に接続された２個の電極２４Ａ、２４Ｂが配設されている。水中判定センサ２７３は、電極２４Ａと電極２４Ｂとの間の電気抵抗値に基づいて、ダイブコンピュータ２が水中にあるか否かを判定するセンサである。さらに、ダイブコンピュータ本体２０の上面には、ダイブコンピュータ２の各種動作モードの選択／切替等の操作を行うためのプッシュボタン式の３個のスイッチ２３（操作部）が設けられている。スイッチ２３は、ダイブコンピュータ２を腕に装着した状態でも外部から容易に操作可能な大型のスイッチである。
【００１４】
ケース２１の上面には、スイッチ２３を避けるように一部が切り欠かれた円形の表示面２２が配置され、表示面２２においては、風防の内部に収容された液晶表示パネル２１１（図２）が視認可能となっている。  
また、ケース２１の側面には圧力検出穴（図示略）が穿設され、この圧力検出穴の内部には圧力センサ２５３（図２）が配設されている。圧力検出穴は、圧力センサ２５３によって周囲の気圧または水圧を正確に検出すべく、周囲の空気または水を圧力センサ２５３の検出部位まで導く穴である。
【００１５】
図２に示すように、ダイブコンピュータ２は、各部を制御してダイブコンピュータとしての機能を実現する制御系２００に各部が接続されて構成される。  
制御系２００は、各種プログラムを実行してデータの処理を行うＣＰＵ２０１、ＣＰＵ２０１により実行されるプログラムや処理されるデータ等を記憶するＲＯＭ２０２、ＣＰＵ２０１により実行されるプログラムや処理対象のデータ等を一時的に記憶するＲＡＭ２０３、ダイブコンピュータ２が備える各種デバイスを制御する制御回路２０４を有する。
【００１６】
ＣＰＵ２０１には、液晶表示パネル２１１と、液晶表示パネル２１１を駆動して各種情報を表示させる液晶ドライバ２１２とからなる表示部２１０が接続されている。制御系２００は、ＣＰＵ２０１の制御のもとに液晶ドライバ２１２を駆動して、液晶表示パネル２１１に各動作モードに対応した表示を行わせる。  
また、ＣＰＵ２０１には、ダイバーに対して振動により警報を報知すべく振動を発生させる振動発生部２３１と、音声により警報を報知するため音声を出力する報音部２３２とが接続されている。これら振動発生部２３１、報音部２３２は、例えば、浮上速度が速すぎる場合、潜水開始からの時間が設定された時間を超過した場合、設定された深度を超えた場合などに、ダイバーに注意を促すために振動やアラーム音を出力する。  
また、ＣＰＵ２０１には、ダイブコンピュータ２への操作を検出する操作部２３３と、外部の装置との間で通信を行う通信部２３４とが接続されている。
【００１７】
操作部２３３は、ダイブコンピュータ本体２０の上面に配設されたスイッチ２３における操作を検出し、検出した操作に対応する操作信号をＣＰＵ２０１に出力する。  
通信部２３４は、無線電波、赤外線や可視光線を用いた光通信、或いは、可聴音波や超音波を搬送波として利用する通信等の手段により、他の装置との間で無線通信を行うものであり、例えば、赤外光を発するＬＥＤ等の光源（図示略）と、赤外光を受光するフォトダイオード等の受光部（図示略）とを備え、これらを用いて赤外線通信を実行する。
【００１８】
また、ダイブコンピュータ２は、所定周波数の発振信号を出力する発振回路２４３と、発振回路２４３が出力した発振信号を分周する分周回路２４２とを備えている。分周回路２４２により分周された信号は、ＣＰＵ２０１及び制御回路２０４の制御に従って秒単位で時刻を計時する時刻用カウンタ２４１に入力される。また、分周回路２４２の出力信号は、後述するＡ／Ｄ変換回路２５１、２６１、２７１に動作クロック信号として入力される。
【００１９】
ＣＰＵ２０１には、Ａ／Ｄ変換回路２５１及び増幅回路２５２を介して圧力センサ２５３が接続されている。圧力センサ２５３は上記の圧力検出穴（図示略）の内部に配設されたセンサであり、ダイブコンピュータ２の周囲の気圧または水圧を検出する。圧力センサ２５３が検出した圧力に対応するアナログ信号を出力すると、このアナログ信号は増幅回路２５２によって増幅され、Ａ／Ｄ変換回路２５１によってデジタルデータに変換されて、ＣＰＵ２０１に入力される。
【００２０】
また、ダイブコンピュータ２は、周囲の温度を検出する温度センサ２６３を備え、温度センサ２６３が検出した温度に対応するアナログ信号を出力すると、このアナログ信号は増幅回路２６２によって増幅され、Ａ／Ｄ変換回路２６１によってデジタルデータに変換されて、ＣＰＵ２０１に入力される。
【００２１】
ダイブコンピュータ２は、電極２４Ａ（図１）と電極２４Ｂ（図１）との間の電気抵抗値を測定することによってダイブコンピュータ２が水中にあるか否かを判定する水中判定センサ２７３（水中判定部）を有する。水中判定センサ２７３が出力するアナログ信号は、増幅回路２７２によって増幅され、Ａ／Ｄ変換回路２７１によってデジタルデータに変換されて、ＣＰＵ２０１に入力される。
【００２２】
さらに、ＣＰＵ２０１には、方位検出部２３５が接続されている。方位検出部２３５は、少なくとも直交する２軸、好ましくは互いに直交する３軸の磁気センサを備え、これら複数の磁気センサに出力に基づく演算処理を行うことで、現在の方位（方位角）を求め、求めた方位のデータをＣＰＵ２０１に出力する。ここで方位検出部２３５が求める方位は、例えば、ダイブコンピュータ２の１２時方向が指し示す方位である。これは、潜水中にダイバーが、自分の進行方向とダイブコンピュータ２の１２時方向とを一致させやすいためである。従って、方位検出部２３５が求める方位を、ダイブコンピュータ２に対するどの方位とするかは、スイッチ２３の操作等に応じて任意に設定可能としてよい。また、方位検出部２３５がＣＰＵ２０１に出力するデータは、例えば、北を０度（基準方位）とした場合の方位角である。
【００２３】
このように構成されるダイブコンピュータ２は、制御系２００の制御のもとに、スイッチ２３の操作によって指定された動作モードで動作し、ダイビングモードにおいては、潜水開始が指示されてからの経過時間や、温度センサ２６３により計測した温度、圧力センサ２５３の検出値から求めた水深、これらの情報に基づいて算出した体内の蓄積不活性ガス量、現在時刻等を表示するとともに、必要に応じて、振動発生部２３１、報音部２３２による報知を行う。これにより、潜水中のダイバーに対して重要な情報を的確に提供し、安全かつ円滑なダイビングの進行を補助する。
【００２４】
また、ダイブコンピュータ２は、サーフェスモード（時刻表示モード）においては現在時刻の表示を行い、プランニングモードやログモードにおいては、スイッチ２３の操作に従って、過去にダイビングモードで取得・表示した情報を出力する動作や、指定された条件に従ってシミュレーションを行った結果を出力する動作を行う。  
さらに、ダイブコンピュータ２は、方位検出部２３５によって検出した方位を液晶表示パネル２１１により表示し、ダイバーに対して進行方向を案内する。
【００２５】
図３は、ダイブコンピュータ２の表示面２２の構成例を示す平面図である。  
上述のように、表示面２２においては液晶表示パネル２１１が視認可能となっており、液晶表示パネル２１１が表示する各種情報を見ることができる。
【００２６】
液晶表示パネル２１１には、各種情報を表示する複数の表示領域が配されている。図３中上部左側に位置する第１の表示領域２２１は、各表示領域のうちで最も大きく構成されている。第１の表示領域２２１には、ダイビングモード、サーフェスモード（時刻表示モード）、プランニングモード、ログモード等のダイブコンピュータ２の各動作モードにおいて、それぞれ、現在の水深、現在の日時、水深ランク、潜水日時（ログ番号）が表示される。
【００２７】
第２の表示領域２２２は、第１の表示領域２２１の図中右側に配置されている。第２の表示領域２２２には、ダイビングモード、サーフェスモード（時刻表示モード）、プランニングモード、ログモードの各動作モードにおいて、それぞれ潜水時間、現在時刻、無減圧潜水可能時間、潜水開始時刻（潜水時間）が表示される。
【００２８】
第３の表示領域２２３は、図中で第１の表示領域２２１の下側に配置され、この第３の表示領域２２３には、ダイビングモード、サーフェスモード（時刻表示モード）、プランニングモード、ログモードの各動作モードにおいて、それぞれ、最大水深、体内窒素排出時間、セーフティレベル、最大水深（平均水深）が表示される。
【００２９】
第４の表示領域２２４は、図中で第３の表示領域２２３の右側に配置される。第４の表示領域２２４には、ダイビングモード、サーフェスモード（時刻表示モード）、プランニングモード、ログモードの各動作モードにおいて、それぞれ無減圧潜水可能時間、水面休止時間、温度、潜水終了時刻（最大水深時水温）が表示される。
【００３０】
第５の表示領域２２５は、図中で第３の表示領域２２３の下側に配置され、電源容量切れを表示する電源容量切れ警告を表示する。第６の表示領域２２６は、図中の下部左側に配置され、体内に残存する窒素ガス（不活性ガス）の量をグラフ表示する。第７の表示領域２２７は、図中で第６の表示領域２２６の右側に配置され、ダイビングモードで減圧潜水状態になった場合に、窒素ガス（不活性ガス）が吸収傾向にあるのか、排出傾向にあるかを示す領域（図中、上下方向矢印が図示されている）と、浮上速度が高すぎる場合に浮上速度違反警告のひとつとして減速を指示するための「ＳＬＯＷ」を表示する領域と、潜水中に減圧潜水を行わなければならない旨を警告するための「ＤＥＣＯ」を表示する領域と、を備えて構成されている。
【００３１】
そして、液晶表示パネル２１１の上部には方位表示部２２９が配置されている。方位表示部２２９には、方位検出部２３５（図２）によって検出された方位が表示される。
【００３２】
図４は、方位表示部２２９における表示態様を詳細に示す図である。  
この図４に示すように、方位表示部２２９には、方位検出部２３５により検出された方位角を表示する方位角表示２２９Ａ、円環状の方位環表示２２９Ｂ、方位環表示２２９Ｂの円環上に並べられた基礎方位表示２２９Ｃが配置されている。
【００３３】
方位角表示２２９Ａは方位検出部２３５により検出された方位角を数値として表示する。方位環表示２２９Ｂは、図４に破線で示す仮想方位環２２９Ｄの一部である。仮想方位環２２９Ｄは３６０度の回転が可能な仮想の円であって、円周上には北（Ｎ）、東（Ｅ）、南（Ｓ）、西（Ｗ）の基本方位からなる基礎方位表示２２９Ｃが配置されている。仮想方位環２２９Ｄは基礎方位表示２２９Ｃとともに、方位検出部２３５によって検出された方位角に応じて回転し、その一部が方位環表示２２９Ｂとして方位表示部２２９に表示される。
【００３４】
そして、方位表示部２２９には、往路方位記号２８Ａ、及び、帰路方位記号２８Ｂが表示される。  
往路方位記号２８Ａは往路の方位を示す記号であり、帰路方位記号２８Ｂは帰路（復路）の方位を示す記号である。この往路は、ダイバーがスイッチ２３を操作して指定する方位であり、具体的には、ダイバーがダイブコンピュータ２の１２時方向を、進行方向に合わせた状態で、往路指定用に割り当てられた一つのスイッチ２３を押下すると、この押下時に方位角表示２２９Ａに表示された方位が、往路の方位として設定される。
【００３５】
これに対し、帰路方位記号２８Ｂが示す帰路の方位は、ダイバーが指定した往路の方位、すなわち往路方位記号２８Ａが示す方位に基づいて、ＣＰＵ２０１が自動計算した方位である。本第１の実施形態では、帰路は往路の正反対の方向であるから、ＣＰＵ２０１は、往路として指定された方位の方位角に１８０度加算或いは減算することで帰路の方位角を求める。図４に示す状態では帰路方位記号２８Ｂは方位表示部２２９から外れた位置にあるが、ダイブコンピュータ２の１２時方向が北向きとなった場合には、仮想方位環２２９Ｄとともに回転して、帰路方位記号２８Ｂが方位表示部２２９の表示範囲内に入り、視認可能となる。
【００３６】
また、図４に示す例では、往路方位記号２８Ａは白抜き三角の記号であり、帰路方位記号２８Ｂは黒塗り三角の記号である。このように往路の方位を示す記号と帰路の方位を示す記号とが明瞭に区別できるようになっていることにより、ダイバーは、方位表示部２２９に表示されている記号が往路と帰路のどちらを示しているかを間違えることがなく、利便性が高い。往路方位記号２８Ａ及び帰路方位記号２８Ｂは、それぞれ分かりやすい記号であって、明瞭に区別可能であればよいので、例えば、色の違う矢印としてもよいし、文字をデフォルメした絵柄等を用いてもよく、記号や図形、絵柄、文字のいずれを用いることができ、具体的形態は何ら限定されない。
【００３７】
図５は、ダイブコンピュータ２の動作を示すフローチャートであり、特に、方位の検出と表示に係る動作を示す。  
この図５に示す動作は、方位検出部２３５により検出した現在の方位を方位表示部２２９に表示する動作であり、例えば、方位の表示開始を指示する操作に応答して、開始される。図５に示す動作中、ＣＰＵ２０１は、方位処理部及び方位表示制御部として機能する。
【００３８】
ＣＰＵ２０１は、方位検出部２３５から入力されるデータに基づいて、方位検出部２３５によって検出された現在の方位を取得し（ステップＳ１１）、続いて、取得した方位と、方位表示部２２９に表示されている方位とを比較する（ステップＳ１２）。ステップＳ１２では、例えば、ステップＳ１１で取得した方位角と、現在表示中の方位角との数値を比較する。ここで、方位表示部２２９において表示中の方位角は、ＲＡＭ２０３に記憶されているものとする。
【００３９】
ＣＰＵ２０１は、方位表示部２２９に表示中の方位と、新たにステップＳ１１で取得した方位との間に、予め設定された値を超える差があるか否かを判別し（ステップＳ１３）、設定値を超える差がある場合（ステップＳ１３；Ｙｅｓ）、ＣＰＵ２０１は、方位表示部２２９に表示中の方位を、ステップＳ１１で新たに取得した方位に更新するとともに、更新後の方位をＲＡＭ２０３に記憶する（ステップＳ１４）。
【００４０】
ここで、図５の動作を開始してから最初に方位検出部２３５が検出した現在の方位を取得した場合には、表示中の方位角をデフォルト値の０度としてステップＳ１２〜Ｓ１３の処理を行うか、或いは、ステップＳ１２〜Ｓ１３の処理を行わずにステップＳ１４に移行してもよい。  
また、ステップＳ１３の判別の基準となる設定値は、予めスイッチ２３やその他の操作によりダイバーが任意に設定し、或いは、出荷時に既にＲＯＭ２０２に記憶されている値である。
【００４１】
ステップＳ１１〜Ｓ１４の処理によって、方位検出部２３５が検出した方位が、現在表示中の方位と設定値以上の差を生じていない場合は方位表示部２２９の表示が更新されないので、わずかな方位の変化によって頻繁に表示が更新されるといった事態を避けることができる。つまり、方位表示部２２９の表示が高頻度で変化することによる煩雑さと視認性の低下を避けることができ、ダイビング中においても視認しやすく、方位を確認しやすい表示を保つことができる。  
また、ステップＳ１３において、方位表示部２２９に表示中の方位とステップＳ１１で取得した方位との差が設定値を超えない場合は、ステップＳ１４の処理を行わずに、以後の処理に移行する。
【００４２】
続いて、ＣＰＵ２０１は、往路の方位を指定する操作が行われたか否かを判別し（ステップＳ１５）、往路の方位を指定する操作が行われた場合は、ステップＳ１６以後の往路を設定する処理に移行する。ここで、往路を指定する操作とは、現在の方位を「往路の方位」として設定するよう指示する操作であり、具体的には、ダイブコンピュータ２が備える複数のスイッチ２３のうち、往路指定用に割り当てられた特定のスイッチ２３を押下する操作である。  
ＣＰＵ２０１は、往路の方位を指定する操作が行われた場合はステップＳ１６に移行して、その操作が行われた時点で方位表示部２２９に表示中の方位を、往路の方位として設定し、ＲＡＭ２０３に記憶する。
【００４３】
ＣＰＵ２０１は、設定した往路の方位を、その方位が往路の方位であることを示す記号や図形等と共に方位表示部２２９に表示する（ステップＳ１７）。この表示は、例えば、図４に示す往路方位記号２８Ａである。次にＣＰＵ２０１は、設定された往路の方位に基づいて帰路の方位を自動的に算出してＲＡＭ２０３に一時的に記憶し（ステップＳ１８）、帰路の方位を表示するよう指示する操作が行われたか否かを判別する（ステップＳ１９）。ここで、帰路の方位を表示するよう指示する操作とは、具体的には、ダイブコンピュータ２が備える複数のスイッチ２３のうち、帰路方位の表示用に割り当てられた特定のスイッチ２３を押下する操作である。ここで操作されるスイッチ２３は、往路方位指定用に割り当てられたスイッチ２３、すなわちステップＳ１５で操作されるスイッチ２３とは別のスイッチである。これらスイッチ２３には、往路方位指定用であるものと、帰路の方位の表示を指示するものとを区別可能なように、記号や図形等の装飾や案内が付された構成としてもよい。
【００４４】
また、ステップＳ１５において往路を指定する操作が行われていなかった場合（ステップＳ１５；Ｎｏ）、ＣＰＵ２０１は、ステップＳ１９にそのまま移行して上記の判別を行う。
【００４５】
ＣＰＵ２０１は、帰路の方位の表示を指示する操作が行われていない場合は（ステップＳ１９；Ｎｏ）、ステップＳ１１に戻り、帰路の方位の表示を指示する操作が行われた場合は（ステップＳ１９；Ｙｅｓ）、ＲＡＭ２０３に記憶されている帰路の方位を方位表示部２２９に表示する（ステップＳ２０）。この表示は、算出した帰路の方位を、その方位が帰路の方位であることを示す記号や図形等と共に方位表示部２２９に表示するものであり、例えば、図４に示す帰路方位記号２８Ｂである。
【００４６】
その後、ＣＰＵ２０１は、方位の表示を終了する操作等が行われていなければ（ステップＳ２１；Ｎｏ）、ステップＳ１１に戻って処理を継続し、方位の表示を終了する操作等が行われた場合は（ステップＳ２１；Ｙｅｓ）、本処理を終了する。
【００４７】
以上のように、本発明を適用した第１の実施形態に係るダイブコンピュータ２は、防水性のケース２１の外から操作可能なスイッチ２３を備え、このスイッチ２３の操作に応じて、ＣＰＵ２０１によって方位検出部２３５が検出した方位を往路の方位として設定し、設定した往路の方位に基づいて帰路の方位を算出し、算出した帰路の方位を、ケース２１に収容した液晶表示パネル２１１に表示するので、スイッチ２３を操作するだけで自動的に現在の方位が往路の方位として設定され、帰路の方位が求められ、この帰路の方位が表示される。これにより、大がかりな装置群等を用いることなく、潜水中のダイバーが簡単な操作を行うだけで、帰路の方向を確実に確認できる。
【００４８】
また、帰路の方位は、スイッチ２３により帰路の方位の表示を指示する操作が行われた場合に、この操作に応じて液晶表示パネル２１１に表示されるので、ダイバーが必要とする場合のみ表示するようにすることで、液晶表示パネル２１１に同時に表示される情報量の増加を抑えて誤認を防止し、良好な視認性を確保できる。  
さらに、往路と帰路とが、往路方位記号２８Ａ及び帰路方位記号２８Ｂのように、直感的に理解しやすい記号や図形等により表示されるので、ダイバーは、容易に、かつ速やかに帰路を確認できる。
【００４９】
また、ＣＰＵ２０１は、方位検出部２３５により検出された方位を随時取得し、取得した現在の方位を液晶表示パネル２１１の方位表示部２２９に表示させるので、現在の方位をダイバーが容易に知ることができる。加えて、ＣＰＵ２０１は、方位検出部２３５から取得した方位が、液晶表示パネル２１１に表示中の方位から設定値以上の差がある場合にのみ、液晶表示パネル２１１に表示する方位を、新たに取得した方位に変更するので、方位表示部２２９に表示される方位の更新頻度を適正な程度に抑えることができ、方位表示部２２９の視認性を損なうことなく、最新の方位を表示して、ダイバーに適切な情報を提供できる。
【００５０】
［第２の実施形態］
図６は、本発明を適用した第２の実施形態におけるダイブコンピュータ２の動作を示すフローチャートである。なお、この第２の実施形態において上記第１の実施形態と同様に構成される構成部については、同符号を付して図示及び説明を省略する。  
図６のフローチャートに示す動作は、図６のフローチャートに示した動作に代えて行われる。図６の動作では、上述したステップＳ１１〜Ｓ２１の処理に加え、ステップＳ１５で往路の方位を指定するスイッチ２３の操作の有無を判別する前に、新たにステップＳ２２の処理を行う。  
ステップＳ２２では、ＣＰＵ２０１が、水中判定センサ２７３の出力値に基づいて、ダイブコンピュータ２が水中にあるか否かを判別する。ここで、ダイブコンピュータ２が水中にない場合（ステップＳ２２；Ｎｏ）、ＣＰＵ２０１はステップＳ１１に戻り、ダイブコンピュータ２が水中にある場合には（ステップＳ２２；Ｙｅｓ）、ステップＳ１５に移行して、往路の方位を指定する操作の有無を判別する。
【００５１】
つまり、本第２の実施形態においては、ダイブコンピュータ２が水中にある場合にのみ、往路の方位を設定し、この設定した往路の方位に基づいて帰路の方位を自動的に算出し、算出した帰路の方位を表示する機能を利用できる。  
ダイブコンピュータ２は、水中に限らず陸上においても勿論使用可能であり、時間の経過や現在時刻を表示する装置として使用できる。陸上を歩行または車両等により移動している間は、道路や地形と関係なく進むことはできないから、進行方向と帰路の方位は、磁石（コンパス）により得た方位と地図とを照合しながら確認すれば足りる。
【００５２】
これに対し、水中においては、進行方向が地形によって制限されることが比較的少ない上に、濁りや光量不足による視界不良が発生しやすく、地形を頼りに方向を判別することが容易ではなく、さらに、地図を参照しながら進むことが難しいという、ダイビングに特有の条件がある。このような条件のもとでは、ダイバーが簡単に往路の方位を設定することができ、この設定された往路に基づいて自動的に帰路の方位を算出して、明瞭に表示するという構成は、非常に有用である。陸上においても上記の構成は有効であるものの、水中における有用性が格段に勝っている上、陸上においては代替手段が数多い。
【００５３】
そこで、本第２の実施形態においては、陸上においては方位表示部２２９に現在の方位を表示する機能を提供するにとどめ、より重要性が高まる水中においては往路の方位の設定と帰路の方位の自動算出及び表示を行うようにしている。これにより、より重要性の高い水中における機能を優先することで、ダイブコンピュータ２の電源となるバッテリ（図示略）の消費を抑えて効率化を図ることができる。また、陸上においては、方位に関する機能を現在の方位を表示する機能に絞ることで、操作を簡略化し、操作性の向上を図ることができる。
【００５４】
なお、陸上において使用可能な機能は、現在の方位を表示する機能のみに限定する必要はなく、水中と同様に重要性の高い機能であれば、その機能を陸上でも提供するようにしてよい。例えば、ダイブコンピュータ２が、現在の方位を記憶する機能や方位と時刻或いは高度とを対応づけて記憶する機能等を実行可能な場合、これらの機能は水中か陸上かを問わず有用であるから、陸上で上記機能を実行可能としてよい。
【００５５】
ここで、本第２の実施形態においては、ダイブコンピュータ２が水中にない場合はスイッチ２３の操作による往路の設定、設定された往路の記憶、帰路の算出、表示のいずれも行わないものとしたが、例えば、帰路の表示のみを行わないようにしてもよい。
【００５６】
［第３の実施形態］
図７は、本発明を適用した第３の実施形態における表示面２２の構成例を示す平面図である。なお、この第２の実施形態において上記第１及び第２の実施形態と同様に構成される構成部については、同符号を付して図示及び説明を省略する。  
この図７に示す液晶表示パネル２１１には、上記第１の実施形態で図３に例示した状態とは異なり、第１〜第７の表示領域２２１〜２２７の表示が省略され、代わって帰路指示矢印２８Ｃが表示されている。帰路指示矢印２８Ｃは、図５及び図６のステップＳ１８で説明したようにＣＰＵ２０１によって自動的に算出された帰路の方位を示す記号であり、方位表示部２２９を除く液晶表示パネル２１１の表示領域のほぼ全面を占めるように、大きく表示されている。
【００５７】
上記第１及び第２の実施形態で、ダイブコンピュータ２は、帰路の方位の表示を指示する操作が行われた場合は方位表示部２２９に帰路の方位を表示するものとしたが、本第３の実施形態において、ダイブコンピュータ２は、特定の操作の間のみ、液晶表示パネル２１１における表示状態を、図３に示す状態から、図７に示すように方位表示部２２９と帰路指示矢印２８Ｃのみの表示に切り替える。ここで、特定の操作とは、スイッチ２３のうち帰路方位の表示用に割り当てられた特定のスイッチ２３を押下する操作であり、ダイブコンピュータ２は、このスイッチ２３が押下されている間のみ、帰路指示矢印２８Ｃを表示する。そして、スイッチ２３の押下が解除されると、ダイブコンピュータ２は、液晶表示パネル２１１における表示を元の状態、すなわち図３に示した状態に戻す。従って、ダイバーが特定のスイッチ２３を押している間のみ、液晶表示パネル２１１の表示が図７に示す状態に切り替わる。
【００５８】
本第３の実施形態では、ダイバーが帰路の方を知りたいと考えて特定のスイッチ２３を押している間だけ、帰路の方位が表示されるので、液晶表示パネル２１１に同時に表示する情報を少なくすることができるので、視認性および利便性の向上を図ることができる。特に、スイッチ２３を押している間だけであれば、第１〜第７の表示領域２２１〜２２７等の情報を表示しなくても利便性や有用性が損なわれることはないので、スイッチ２３を押している間、図７に例示する帰路指示矢印２８Ｃのように液晶表示パネル２１１のほぼ全面を使って、帰路の方位を表示することができ、極めて視認性が高く、誤認のおそれが全くない表示を行うことができる。
【００５９】
このように、第３の実施形態によれば、スイッチ２３において帰路の方位の表示を指示する操作が行われている間のみ、帰路の方位を指し示す記号または図形を液晶表示パネル２１１に表示させるので、通常動作中は液晶表示パネル２１１に表示する情報の数を抑えるとともに、ダイバーの意図に応じて速やかに、かつ極めて視認性の高い態様で帰路の方位を表示することが可能となる。
【００６０】
なお、本第３の実施形態において、特定のスイッチ２３の操作中に液晶表示パネル２１１の表示を切り替えている間に、この表示の切り替えと連動して表示面２２を照明するライト（図示略）を点灯させてもよい。この場合、ダイバーの意図に沿って帰路指示矢印２８Ｃを見やすくすることで、水中や暗所における視認性をより向上させることができ、確実に、帰路の方向を知ることができる。
【００６１】
［第４の実施形態］
図８Ａ及び図８Ｂは、本発明を適用した第４の実施形態における方位表示部２２９の構成例を示す図である。なお、この第４の実施形態において上記第１から第３の実施形態と同様に構成される構成部については、同符号を付して図示及び説明を省略する。  
この図８Ａ及び図８Ｂに示す方位表示部２２９には、上記第１の実施形態で図４に例示した方位表示部２２９とは異なり、往路の方位を示す往路指示矢印２８Ｄと、帰路の方位を示す帰路指示矢印２８Ｅとが、方位環表示２２９Ｂから離れた位置に、並べて表示されている。往路指示矢印２８Ｄ及び帰路指示矢印２８Ｅは、方位環表示２２９Ｂの表示状態とは関係なく常に方位表示部２２９に表示されているので、ダイバーが、往路の方向及び帰路の方向を、常に視認できる。  
図８Ａに例示する往路指示矢印２８Ｄと帰路指示矢印２８Ｅとは、白矢印と黒塗り矢印となっている。また、図８Ｂに例示する帰路指示矢印２８Ｅは、帰路であることが明瞭に理解できるように、往路指示矢印２８Ｄとは異なる形状の矢印となっている。このように、往路指示矢印２８Ｄと帰路指示矢印２８Ｅとは、どちらが往路と帰路であるかを容易に見分けられるようになっているので、ダイバーが方向を誤認することはなく、容易に、往路と帰路の方向を知ることができる。
【００６２】
なお、上述した各実施形態は、あくまでも本発明の一態様を示すものであり、本発明の範囲内で任意に変形および応用が可能である。  
例えば、上記第１〜第４の実施形態で、表示面２２及び液晶表示パネル２１１は、スイッチ２３を避けて一部が欠けた円形に形成されているが、本発明はこれに限定されるものではなく、表示面２２の形状は真円、楕円、トラック形状、多角形状など他の形状であってもかまわない。
【００６３】
さらに、方位検出部２３５は２軸または３軸の磁気センサを備え、これら磁気センサの出力に基づいて方位を求めるものとしたが、磁気センサの数、方位を求めるための処理方法、出力する信号の形式、この信号をアナログ信号として出力するかデジタル信号として出力するか等の方位検出部２３５の具体的仕様は任意である。
【００６４】
また、液晶表示パネル２１１に表示される往路方位記号２８Ａ、帰路方位記号２８Ｂ、帰路指示矢印２８Ｃ、往路指示矢印２８Ｄ、及び帰路指示矢印２８Ｅの態様はあくまで一例であり、その形状や色は任意であり、文字や別の記号が付加されていてもよい。さらに、液晶表示パネル２１１がカラー表示可能な液晶表示パネルである場合には、往路方位記号２８Ａ、帰路方位記号２８Ｂ、帰路指示矢印２８Ｃ、往路指示矢印２８Ｄ、帰路指示矢印２８Ｅ、及び、第１〜第７の表示領域２２１〜２２７を含む各種表示を、様々に色を変えて表示してもよく、その場合の表示色は任意である。さらにまた、液晶表示パネル２１１に代えて、有機ＥＬパネル等を用いるようにしてもよい。
【００６５】
また、上記第１〜第４の実施形態において、ベルト２７を構成する材料は合成樹脂や合成ゴム、或いは合成または天然繊維のいずれであってもよく、ベルト２７をケース２１に取り付けるベルト通しの形状や材料も任意であって、単にベルト２７を孔に通すような形態だけでなく、ベルト２７にケース２１を着脱可能な形状であれば限定されない。
【００６６】
さらに、上記各実施形態では、ダイブコンピュータ２を制御するための制御プログラムが予めＲＯＭ２０２に記憶されている場合について説明したが、各種磁気ディスク、光ディスク、メモリカードなどの記録媒体に制御用プログラムをあらかじめ記録し、これらの記録媒体から読み込み、ダイブコンピュータ２にインストールするように構成することも可能である。また、通信インターフェースを設け、インターネット、ＬＡＮなどのネットワークを介してダイブコンピュータ２が制御用プログラムをダウンロードし、インストールして実行するように構成することも可能である。このように構成することにより、ソフトウェア的により高機能としたり、より信頼性の高いダイブコンピュータを構成したりすることが可能となる。
【００６７】
［第５の実施形態］
前述の実施形態におけるダイブコンピュータ２は、帰路の方角は往路に対して１８０°折り返した方向を示すモード（以下、往復経路モードという）を有するものであった。第５の実施形態では、さらに、帰路において複数の経由点を経由して起点に戻れるような進行方向を示すこととしている。
【００６８】
図９Ａは、第５の実施形態における四角経路モードの経路を説明するための図である。図には、往路と帰路とが四角形で構成されるときの経路が示されている。四角経路モードのときにおいてダイブコンピュータ２は、往路における方位と、目的点から第１経由点に向かうとき（帰路１）の方位と、第１経由点から第２経由点に向かうとき（帰路２）の方位と、第２経由点から起点に向かうとき（帰路３）の方位と、を示すことができるようになっている。
【００６９】
図９Ｂは、第５の実施形態における三角経路モードのときの経路を説明するための図である。図には、往路と帰路とが三角形で構成されるときの経路が示されている。三角経路モードのときにおいてダイブコンピュータ２は、往路における方位と、目的点から第１経由点に向かうとき（帰路１）の方位と、第１経由点から起点に向かうときの方位（帰路２）と、を示すことができるようになっている。
【００７０】
以下、上記各モードにおける表示と操作について説明する。  
図１０は、第５の実施形態に係るダイブコンピュータの構成を示す図である。第５の実施形態では、表示面２２における表示が前述の実施形態と若干異なっている。また、よりボタンの使用手順を詳細に示すために、Ａスイッチ２３Ａ、Ｂスイッチ２３Ｂ、及び、Ｃスイッチ２３Ｃが示されている。なお、この第５の実施形態において上記実施形態と同様に構成される構成部については、同符号を付して説明を省略する。
【００７１】
表示面２２には、第８の表示領域２８８と、第９の表示領域２８９と、第１０の表示領域の左部２９０Ａと、第１０の表示領域の右部２９０Ｂと、が設けられている。第８の表示領域２８８は、方位検出部２３５が検出した方位を表示する。すなわち、第８の表示領域２８８は、ダイバーの現在の方位角を示す。
【００７２】
第９の表示領域２８９は、第１方向表示２８９Ａ〜第７方向表示２８９Ｇを表示可能とする。そして、これらのうちのいくつかを表示することによって、上記のいずれのモードが選択されているのかを表示する。また、これらのうちのいずれかが点滅して、往路であるか、又は、複数の帰路のうちのいずれかであるかを示す。第１０の表示領域の左部２９０Ａは、起点となる方位角、すなわち往路の方位角を示す。第１０の表示領域の右部２９０Ｂは、第９表示領域２８９において点滅して示す経路の方位角、すなわちダイバーが進むべき方位角を示す。
【００７３】
Ａスイッチ２３Ａは、起点となる方位角を設定するためのスイッチである。Ｂスイッチ２３Ｂは、往復経路モード、三角経路モード、及び、四角経路モードのいずれかを選択するモード選択のためのスイッチである。このＢスイッチ２３Ｂを押す毎に、帰路に経由点を含まない往復経路モードと、帰路に１つの経由点を含む三角経路モードと、帰路に２つの経由点を含む四角経路モードを選択可能となっている。Ｃスイッチ２３Ｃは、第９の表示領域２８９における進行方向を選択するためのスイッチである。このＣスイッチ２３Ｃを押す毎に、第９の表示領域２８９において点滅して示す方向表示（往路であるか、又は、帰路であればいずれの帰路であるか）が切り替えられるようになっている。
【００７４】
図１１は、四角経路モードが選択されたときの表示面２２における表示を説明するための図である。前述のように、ダイブコンピュータ２では、Ｂスイッチ２３Ｂを押す毎にモードが切り替わる。現在のモードは、第９の表示領域２８９に表示される。
【００７５】
四角経路モードが選択されたときには、図に示されるように第９の表示領域２８９に四角形の経路を表す４つの矢印（第１方向表示２８９Ａ、第２方向表示２８９Ｂ、第３方向表示２８９Ｃ、第４方向表示２８９Ｄ）が表示される。このように四角経路モードが表示された後、Ａスイッチ２３Ａが長押しされると、第１０の表示領域の左部２９０Ａに進行方向の起点となる方位角（すなわち往路の方位角）が設定される。ここでは、ダイバーが１８０°の方位を向いているときにＡスイッチ２３Ａが長押しされたため、第１０の表示領域の左部２９０Ａには起点となる方位角として１８０°が示されている。ここで、Ａスイッチ２３Ａの長押しは前述の図５及び図６におけるステップＳ１５の往路指定の操作、及び、ステップＳ１６における往路の方位の設定に相当する。
【００７６】
次に、Ａスイッチ２３Ａを離し、再度Ａスイッチ２３Ａを押すと、第１０の表示領域の左部２９０Ａにおける表示は消える。そして、往路であることを示すように、第１方向表示２８９Ａが点滅し、第１０の表示領域の右部２９０Ｂには進行するべき方向の方位角（１８０°）が表示される（但し、図１１では、表示のバリエーションを増やし理解を容易にするべく、後述する帰路１のときの方位角２７０°が示されている）。このような表示は、ステップＳ１７における往路の方位の表示に相当する。
【００７７】
このように、往路の表示がなされると、次に帰路１、帰路２、及び、帰路３（図９Ａ）の方位角が求められる。帰路１の方位角は、往路の方位角に９０°を加算するようにして求められる。また、帰路２の方位角は、帰路１の方位角に９０°を加算するようにして求められる。また、帰路３の方位角も、帰路２の方位角に９０°を加算するようにして求められる。このような動作はステップＳ１８の帰路の方位の自動算出に相当する。
【００７８】
尚、ここで求められた方位角が３６０°以上であった場合には、計算結果から３６０°を減算して帰路の方位角とされる。本ダイブコンピュータでは、このようにして３６０°以上の角度表示を行わないようにして、ダイバーが方向を容易に確認することができるようにしている。
【００７９】
次に、Ｃスイッチ２３Ｃが押される（Ｓ１９）と、次の進行方向を示す第２方向表示２８９Ｂが点滅し、第１０の表示領域の右部２９０Ｂには、帰路１の方位角（２７０°）が表示される（Ｓ２０）。
【００８０】
第５の実施形態における四角経路モードでは、ステップ１９及びステップ２０が繰り返し行われる。よって、さらに、Ｃスイッチ２３Ｃが押されると、次の進行方向を示す第３方向表示２８９Ｃが点滅し、第１０の表示領域の右部２９０Ｂには、帰路２の方位角（０°）が表示される。さらに、Ｃスイッチ２３Ｃが押されると、次の進行方向を示す第４方向表示２８９Ｄが点滅し、第１０の表示領域の右部２９０Ｂには、帰路３の方位角（９０°）が表示される。
【００８１】
このようにすることで、四角形の経路で往路及び帰路が構成される場合であっても、潜水中のダイバーが簡単な操作を行うだけで、帰路の方向を確実に確認できる。
【００８２】
図１２は、三角経路モードが選択されたときの表示面２２における表示を説明するための図である。前述のように、ダイブコンピュータ２では、Ｂスイッチ２３Ｂを押す毎にモードが切り替わる。
【００８３】
三角経路モードが選択されたときには、図に示されるように第９の表示領域２８９に三角形の経路を示す３つの矢印（第２方向表示２８９Ｂ、第５方向表示２８９Ｅ、第６方向表示２８９Ｆ）が表示される。このように三角経路モードが表示された後、Ａスイッチ２３Ａが長押しされると、第１０の表示領域の左部２９０Ａに進行方向の起点となる方位角（すなわち往路の方位角）が設定される。ここで、Ａスイッチ２３Ａの長押しは、ステップＳ１５の往路指定の操作、及び、ステップＳ１６における往路の方位の設定に相当する。
【００８４】
Ａスイッチ２３Ａを離し、再度Ａスイッチ２３Ａを押すと、第１０の表示領域の左部２９０Ａにおける表示が消える。そして、現在の進行方向を示すように、第２方向表示２８９Ｂが点滅し、第１０の表示領域の右部２９０Ｂには往路の方位角（１８０°）が表示される。（但し、図１２では、表示のバリエーションを増やし理解を容易にするべく、後述する帰路２のときの方位角４５°が示されている）このような表示は、ステップＳ１７における往路の方位の表示に相当する。
【００８５】
このように、往路の表示がなされると、次に帰路１及び帰路２（図９Ｂ）の方位角が求められる。帰路１の方位角は、往路の方位角に９０°を加算するようにして求められる。また、帰路２の方位角は、帰路１の方位角に１３５°を加算するようにして求められる。このような動作はステップＳ１８の帰路の方位の自動算出に相当する。
【００８６】
次に、Ｃスイッチ２３Ｃを押すと、次の進行方向を示す第５方向表示２８９Ｅが点滅し、第１０表示領域の右部２９０Ｂには、帰路１の方位角（２７０°）が表示される（Ｓ２０）。
【００８７】
第５の実施形態における三角経路モードでは、ステップＳ１９及びステップ２０がもう一度だけ繰り返して行われる。よって、さらに、Ｃスイッチ２３Ｃが押されると、次の進行方向を示す第６方向表示２８９Ｆが点滅し、第１０表示領域の右部２９０Ｂには、帰路２の方位角（４５°）が表示される。
【００８８】
このようにすることで、三角形路で往路及び帰路が構成される場合であっても、潜水中のダイバーが簡単な操作を行うだけで帰路の方向を確実に確認できる。
【００８９】
図１３は、往復経路モードが選択されたときの表示面２２における表示を説明するための図である。前述のように、ダイブコンピュータ２では、Ｂスイッチ２３Ｂを押す毎にモードが切り替わる。
【００９０】
往復経路モードが選択されたときには、図に示されるように第９の表示領域２８９に往復の経路を表すための２つの矢印（第１方向表示２８９Ａ、第７方向表示２８９Ｇ）が表示される。このように往復経路モードが表示された後、Ａスイッチ２３Ａが長押しされると、第１０表示領域の左部２９０Ａに進行方向の起点となる方位角（すなわち往路の方位角）が設定される。ここで、Ａスイッチ２３Ａの長押しは、ステップＳ１５の往路指定の操作、及び、ステップＳ１６における往路の方位の設定に相当する。
【００９１】
次に、Ａスイッチ２３Ａを離し、再度Ａスイッチ２３Ａを押すと、第１０の表示領域の左部２９０Ａにおける表示は消える。そして、往路であることを示すように、第１方向表示２８９Ａが点滅し、第１０の表示領域の右部２９０Ｂには往路の方位角（１８０°）が表示される（但し、図１３では、表示のバリエーションを増やし理解を容易にするべく、後述する帰路の方位角０°が示されている）。このような操作及び表示は、ステップＳ１７における往路の方位の表示に相当する。
【００９２】
このように往路の表示がなされると、次に帰路の方位角が求められる。帰路の方位角は、往路の方位角に１８０°を加算するようにして求められる。このような動作は、ステップＳ１８の帰路の方位の自動算出に相当する。
【００９３】
次に、Ｃスイッチ２３Ｃが押される（Ｓ１９）と、次の進行方向を示す第７方向表示２８９Ｇが点滅し、第１０表示領域の右部２９０Ｂには、帰路の方位角（０°）が表示される（Ｓ２０）。
【００９４】
このようにすることで、起点と目的点とを往復移動するときにおいて、簡単な操作によって帰路の方向を確実に確認できるようになる。
【００９５】
尚、第５の実施形態における往復経路モードの各ボタンの操作手順は、第１〜第４の実施形態における各ボタンの操作手順をより詳細に示すものである。
【００９６】
また、上述のような往復経路モードについて説明を行ったが、前述の四角経路モードにおいて、第１方向表示２８９Ａが点滅しているときにおける往路の方位角と、第３方向表示２８９Ｃが点滅しているときにおける帰路２の方位角とを用いることとして、往復経路モードを実現することとしてもよい。
【００９７】
また、第５の実施形態において、往路及び帰路を含めた経路が三角形又は四角形の形状となるような経路となっていた。しかしながら、より多角形の形状となるような経路としてもよい。また、三角経路モードのときにおける経路の形状が直角三角形の形状となるようにされていたが、正三角形の形状となるような構成としてもよい。
【図面の簡単な説明】
【００９８】
【図１】第１の実施形態に係るダイブコンピュータの構成を示す図である。
【図２】ダイブコンピュータの機能的構成を示すブロック図である。
【図３】ダイブコンピュータ本体の表示画面の構成例を示す平面図である。
【図４】方位表示部における表示態様を詳細に示す図である。
【図５】ダイブコンピュータの動作を示すフローチャートである。
【図６】第２の実施形態における動作を示すフローチャートである。
【図７】第３の実施形態における表示部の構成例を示す平面図である。
【図８】第４の実施形態における方位表示部の構成例を示す図である。
【図９】図９Ａは、第５の実施形態における四角経路モードのときの経路を説明するための図であり、図９Ｂは、第５の実施形態における三角経路モードのときの経路を説明するための図である。
【図１０】第５の実施形態に係るダイブコンピュータの構成を示す図である。
【図１１】四角経路モードが選択されたときの表示面２２における表示を説明するための図である。
【図１２】三角形路モードが選択されたときの表示面２２における表示を説明するための図である。
【図１３】往復経路モードが選択されたときの表示面２２における表示を説明するための図である。
【符号の説明】
【００９９】
２…ダイブコンピュータ（情報表示装置）、２０…ダイブコンピュータ本体、２１…ケース（本体）、２２…表示面、２３…スイッチ（操作部）、２４Ａ、２４Ｂ…電極、２８Ａ…往路方位記号、２８Ｂ…帰路方位記号、２８Ｃ、２８Ｅ…帰路指示矢印、２８Ｄ…往路指示矢印、２００…制御系、２０１…ＣＰＵ（方位処理部、方位表示制御部）、２０２…ＲＯＭ、２０３…ＲＡＭ、２１０…表示部、２１１…液晶表示パネル（表示画面）、２１２…液晶ドライバ、２２１〜２２７…第１〜第７の表示領域、２２９…方位表示部、２２９Ａ…方位角表示、２２９Ｂ…方位環表示、２２９Ｃ…基礎方位表示、２２９Ｄ…仮想方位環、２３３…操作部、２３５…方位検出部、２７３…水中判定センサ（水中判定部）。
【図１】
2009210561.tif 000003
【図２】
2009210561.tif 000004
【図３】
2009210561.tif 000005
【図４】
2009210561.tif 000006
【図５】
2009210561.tif 000007
【図６】
2009210561.tif 000008
【図７】
2009210561.tif 000009
【図８】
2009210561.tif 000010
【図９】
2009210561.tif 000011
【図１０】
2009210561.tif 000012
【図１１】
2009210561.tif 000013
【図１２】
2009210561.tif 000014
【図１３】
2009210561.tif 000015